(57)【要約】【課題】簡単な操作により底蓋部分の開閉を行うことができると共に底が抜けることのない梱包箱を提案すること。【解決手段】梱包箱１０の底蓋部分３０は、一対の側辺側蓋板２２、２３と一対の端辺側蓋板２４、２５から構成される。側辺側蓋板２２、２３にはそれぞれ一対ずつの切り込み線３１、３２および４１、４２が形成されており、これらの蓋板２２、２３を閉じた状態において形成される切り込み線３２、４１および３１、４２に、各端辺側蓋板２４、２５の広幅の差し込み部分２４ｃ、２５ｃを差し込み可能である。側辺側蓋板２２、２３に端辺側蓋板２４、２５を重ね合わせ、この状態で蓋板２２〜２５を押し込むという簡単な操作により、差し込み部分２４ｃ、２５ｃを側辺側蓋板２２、２３の裏面側に差し込むことができる。差し込み部分２４ｃ、２５ｃは内容物によって押し付けられ、折れ曲がることがないので底蓋部分３０の封緘状態が確保される。【選択図】      図１
2005014943.tif 000002
【特許請求の範囲】
【請求項１】
矩形断面の筒状胴部と、この筒状胴部の下端開口を封鎖している底蓋部分と、前記筒状胴部の上端開口を封鎖している上蓋部分とを有し、
前記底蓋部分は、前記筒状胴部の各側辺縁に連続している一対の側辺側蓋板と、前記筒状胴部の各端辺縁に連続している一対の端辺側底板とを有し、
各側辺側蓋板は矩形形状をしており、その長さは前記筒状胴部の側辺縁と同一であり、その幅は前記端辺縁の長さの半分であり、
各側辺側蓋板は対称な状態で形成した一対の切り込み線を備え、各切り込み線は、前記側辺側蓋板の先端縁からその側辺縁に向けて傾斜している傾斜部分と、この傾斜部分に連続して前記先端縁に直交する方向に延びている直交部分と、この直交部分から直角に折れ曲がって前記先端縁と平行に延びている平行部分とを備え、
各端辺側蓋板は、先端に向けて幅が漸減している台形状部分と、この台形状部分の上底に連続している当該上底よりも狭い幅の首部分と、この首部分の先端に連続している当該首部分よりも広幅の差し込み部分とを備えており、
各側辺側蓋板を前記筒状胴部の各側辺縁に沿って直角に折り曲げてそれらの先端縁を突き合せた状態において、対応する一対の前記切り込み線における前記平行部分の間隔が、前記端辺側蓋板の前記差し込み部分の幅よりも狭く、且つ、前記首部分の幅よりも広くなるように設定されており、
前記端辺側蓋板を前記筒状胴部の各端辺縁に沿って直角に折り曲げて、前記側辺側蓋板に重ね合わせた状態において、前記端辺側蓋板の前記首部分に、前記側辺側蓋板の前記切り取り線における前記直交部分が位置するように設定されている梱包箱。
【請求項２】
請求項１において、
前記端辺側蓋板の前記差し込み部分は、前記首部分と同一幅の先端縁を備え、この先端縁から前記首部分に向けて途中位置で幅が漸増し、しかる後に幅が漸減している梱包箱。
【請求項３】
請求項２において、
各側辺側蓋板の前記先端縁には指掛け用の切り欠き部分が形成されている梱包箱。
【発明の詳細な説明】
【０００１】
【発明の属する技術分野】
本発明は、野菜などを梱包するために用いる段ボール紙などの板材からなる梱包箱に関し、特に、その底蓋部分の封緘作業、開封作業を簡単に行うことのできる梱包箱に関するものである。
【０００２】
【従来の技術】
段ボール紙などの板材を折り曲げて構成される梱包箱は、連続した４枚の側板部分により矩形筒状の胴部が形成され、この胴部の下端開口縁から延びる４枚の蓋板を折り重ねて底蓋部分が形成され、胴部の上端開口縁から延びる４枚の蓋板を折り重ねて上蓋部分が形成されている。梱包箱の底蓋部分の構造としては、その封緘および開封を簡単に行うために下記の特許文献に記載のものが提案されている。
【０００３】
これらの特許文献に記載の梱包箱あるいは包装箱では、底蓋部分を構成している一対のフラップ（蓋板）に山形の差し込み溝を形成し、他方の一対のフラップ（蓋板）の先端部分に左右に広がった差し込み突起部分を形成した構造が採用されている。差し込み溝が形成されている一対のフラップを折り曲げた後に、他方の一対のフラップを折り曲げてそれらの差し込み突起部分を差し込み溝に差し込むことにより、各フラップ間が機械的に係合して封緘状態が形成される。また、封緘状態の底蓋部分を押し込むと、各フラップの差し込み突起部分が差し込み溝から外れるので、開封作業も簡単に行うことができる。
【０００４】
【特許文献１】
実開昭６２−１７５１１号公報
【特許文献２】
実公平６−２４３３７号公報
【０００５】
【発明が解決しようとする課題】
しかしながら、従来の底蓋部分の封緘構造においては、封緘状態を保持するためのフラップ間の重なりが少なく、したがって、内容物が重い場合には、差し込み溝に差し込まれている突起が内容物の重量に耐え切れずに折れ曲がり、フラップ間の機械的係合が外れて、底が抜ける危険性がある。
【０００６】
本発明の課題は、このような点に鑑みて、フラップ（蓋板）間の機械的係合強度が高く、しかも開閉作業を簡単に行うことのできる底蓋部分を備えた梱包箱を提案することにある。
【０００７】
【課題を解決するための手段】
上記の課題を解決するために、本発明の梱包箱は、
矩形断面の筒状胴部と、この筒状胴部の下端開口を封鎖している底蓋部分と、前記筒状胴部の上端開口を封鎖している上蓋部分とを有し、
前記底蓋部分は、前記筒状胴部の各側辺縁に連続している一対の側辺側蓋板と、前記筒状胴部の各端辺縁に連続している一対の端辺側底板とを有し、
各側辺側蓋板は矩形形状をしており、その長さは前記筒状胴部の側辺縁と同一であり、その幅は前記端辺縁の長さの半分であり、
各側辺側蓋板は対称な状態で形成した一対の切り込み線を備え、各切り込み線は、前記側辺側蓋板の先端縁からその側辺縁に向けて傾斜している傾斜部分と、この傾斜部分に連続して前記先端縁に直交する方向に延びている直交部分と、この直交部分から直角に折れ曲がって前記先端縁と平行に延びている平行部分とを備え、
各端辺側蓋板は、先端に向けて幅が漸減している台形状部分と、この台形状部分の上底に連続している当該上底よりも狭い幅の首部分と、この首部分の先端に連続している当該首部分よりも広幅の差し込み部分とを備えており、
各側辺側蓋板を前記筒状胴部の各側辺縁に沿って直角に折り曲げてそれらの先端縁を突き合せた状態において、対応する一対の前記切り込み線における前記平行部分の間隔が、前記端辺側蓋板の前記差し込み部分の幅よりも狭く、且つ、前記首部分の幅よりも広くなるように設定されており、
前記端辺側蓋板を前記筒状胴部の各端辺縁に沿って直角に折り曲げて、前記側辺側蓋板に重ね合わせた状態において、前記端辺側蓋板の前記首部分に、前記側辺側蓋板の前記切り取り線における前記直交部分が位置するように設定されていることを特徴としている。
【０００８】
本発明の梱包箱では、一対の側辺側蓋板を直角に折り曲げた後に、他方の一対の端辺側蓋板を折り曲げてそれらの上に折り重ね、この状態で端辺側蓋板を押し込むと、端辺側蓋板の差し込み部分を、側辺側蓋板の切り込み線を通して当該側辺側蓋板の裏面側に差し込むことができる。この後に、側辺側蓋板および端辺側蓋板のそれぞれを、直角に折り曲げられた状態まで引き戻すと、端辺側蓋板における狭い幅の首部分が側辺側蓋板の切り込み線を貫通し、広幅の差込部分が側辺側蓋板の裏面側に差し込まれた係合状態が形成される。
【０００９】
端辺側蓋板の広幅の差し込み部分の全体が側辺側蓋板の裏面側に差し込まれているので、端辺側蓋板と側辺側蓋板の機械的な係合強度を高めることができる。また、梱包箱に内容物を詰めると、側辺側蓋板の内側に積層されている端辺側蓋板の差し込み部分の上に内容物が乗り、内容物の重量によって、差し込み部分の面外方向への折れ曲がりが阻止され、側辺側蓋板と端辺側蓋板の係合状態が確保される。よって、内容物を詰めた状態において底が抜けてしまうことがない。
【００１０】
ここで、各側辺側蓋板の前記先端縁に指掛け用の切り欠き部分を形成しておくことが望ましい。封緘時に、一旦押し込んだ蓋板を、切り欠き部分に指を掛けて引き戻すことができるので、便利である。
【００１１】
【発明の実施の形態】
以下に、図面を参照して、本発明を適用した段ボール板からなる梱包箱の一例を説明する。
【００１２】
図１（ａ）は、上蓋部分および底蓋部分が開いた状態の梱包箱を底蓋部分を上側にした状態で示す斜視図であり、図２は梱包箱を平面上に展開した状態で示す展開図である。これらの図を参照して説明すると、梱包箱１０は段ボール板などの一枚の板材１を折り曲げて組み立てることにより構成されている。板材１は、梱包箱の矩形断面の筒状胴部１１を構成する一対の側板部分２、３と一対の端板部分４、５とを備えており、一方の側から、側板部分２、端板部分４、側板部分３および端板部分５がこの順序で連続しており、これらの間には縦折り目線６、７、８が付けられている。側板部分２の端縁からは細幅の接着用フラップ２Ａが突出しており、これら側板部分２と接着用フラップ２Ａの間にも縦折り目線９が付けられている。なお、各端板部分４、５の中心には横長の長穴４Ａ、５Ａが形成され、梱包箱の持ち運びの際などに指を掛ける部分として利用される。
【００１３】
各縦折り目線６、７、８、９を直角に谷折りし、接着用フラップ２Ａを端板部分５の端縁部分の内面に接着固定すると、これら側板部分２、３および端板部分４、５によって、梱包箱１０の矩形断面形状の筒状胴部１１が形成される。
【００１４】
次に、側板部分２、３および端板部分４、５の上端縁、すなわち筒状胴部１１の上端開口縁には、それぞれ側辺側蓋板１２、１３および端辺側蓋板１４、１５が連続している。これら蓋板１２〜１５によって上蓋部分２０が形成される。側板部分２と側辺側蓋板１２の間、側板部分３と側辺側蓋板１３の間、端板部分４と端辺側蓋板１４の間、および端板部分５と端辺側蓋板１５の間には、それぞれ、横折り目線１６、１７、１８、１９が付けられている。
【００１５】
例えば、端辺側蓋板１４、１５を横折り目線１８、１９に沿って直角に谷折りし、その上に、側辺側蓋板１２、１３を横折り目線１６、１７に沿って同じく直角に谷折りし、接着テープあるいはステープルなどによって固定すると、封緘状態の上蓋部分２０が形成される。勿論、側辺側蓋板１２、１３および端辺側蓋板１４、１５の一方の差し込み溝を形成し、他方の側に差し込み片を形成し、蓋板間の機械的な係合により、簡単に開閉可能な上蓋部分２０を構成することも可能である。本例においては、説明を簡単にするために、側片側蓋板１２、１３および端辺側蓋板１４、１５を長方形として示してある。
【００１６】
次に、側板部分２、３および端板部分４、５の下端縁、すなわち筒状胴部１１の下端開口縁の側辺縁および端辺縁にも、それぞれ側辺側蓋板２２、２３および端辺側蓋板２４、２５が連続している。これら４枚の蓋板２２〜２５によって底蓋部分３０が形成される。側板部分２と側辺側蓋板２２の間、側板部分３と側辺側蓋板２３の間、端板部分４と端辺側蓋板２４の間、および端板部分５と端辺側蓋板２５の間には、それぞれ、横折り目線２６、２７、２８、２９が付けられている。
【００１７】
側辺側蓋板２２、２３は長方形であり、その長さは側板部分２、３と同一であり、その幅は端板部分４、５の長さの半分とされている。したがって、図１に示す状態において横折り目線２６、２７に沿って直角に谷折りすると、それらの先端縁２２ａ、２３ａが突き合わされた状態になる。各側辺側蓋板２２、２３の先端縁２２ａ、２３ａの中央には半円形の切り欠き２２Ａ、２３Ａが形成されている。また、各側辺側蓋板２２、２３には、これらの切り欠き２２Ａ、２３Ａを中心として左右対称な状態で一対の切り込み線３１、３２および４１、４２が形成されている。切り込み線３１は、側辺側蓋板２２の先端縁２２ａからその端辺２２ｂの側に向けてほぼ４５度の角度の方向に延びる傾斜部分３１ａと、この傾斜部分３１ａに連続して先端縁２２ａに直交する方向に延びている直交部分３１ｂと、この直交部分３１ｂから端辺２２ｂの側に直角に折れ曲がって先端縁２２ａと平行に延びている平行部分３１ｃとを備えている。他の切り込み線３２、４１、４２も同様であり、それぞれ傾斜部分３２ａ、４１ａ、４２ａ、直交部分３２ｂ、４１ｂ、５２ｂおよび平行部分３２ｃ、４１ｃ、４２ｃを備えている。
【００１８】
これに対して、端辺側蓋板２４は、端板部分４の縁から先端に向けて幅が漸減している台形状部分２４ａと、この台形状部分２４ａの上底に連続している当該上底よりも狭い幅の首部分２４ｂと、この首部分２４ｂの先端に連続している当該首部分２４ｂよりも広幅の差し込み部分２４ｃとを備えている。差し込み部分２４ｃは、その先端縁２４ｄが首部分２４ｂと同一幅とされ、当該先端縁２４ｄの両端からほぼ４５度の角度で途中位置まで広がり、これに続く部分は円弧状に窄まって首部分２４ｂに繋がっている。他方の端辺側蓋板２５も同様に、台形状部分２５ａと首部分２５ｂと差し込み部分２５ｃを備えた形状とされている。
【００１９】
ここで、図１（ｂ）には、側辺側蓋板２２、２３を横折り目線２６、２７に沿って直角に折り曲げてそれらの先端縁２２ａ、２３ａを突き合せ、その上から、一方の端辺側蓋板２４を直角に折り曲げて重ね合わせた状態を示してある。この図から分かるように、一対の側辺側蓋板２２、２３に形成されている対応する一対の切り込み線３２、４１における平行部分３２ｃ、４１ｃの間隔が端辺側蓋板２４の差し込み部分２４ｃの幅よりも狭く、且つ、首部分２４ｂの幅よりも広くなるように設定されている。また、端辺側蓋板２４の首部分２４ｂの間に、側辺側蓋板２２、２３の切り込み線３２、４１における直交部分３２ｂ、４１ｂが位置するように設定されている。他方の一対の切り込み線３１、４２と、端辺側蓋板２５との関係も同様に設定されている。
【００２０】
次に、このように構成した梱包箱１０における底蓋部分３０の封緘動作および開封動作を説明する。まず、図１に示すように、梱包箱１０を、底板部分３０が上になるように置く。次に、図３に示すように、左右の側辺側蓋板２２、２３を、横折り目線２６、２７に沿って直角に折り曲げて、先端縁２２ａ、２３ａを突き合せた状態にする。
【００２１】
次に、端辺側蓋板２４、２５を、横折り目線２８、２９に沿って折り曲げ、側辺側蓋板２２、２３に重ね合わせ、図４に示すように、下方に押し込む。蓋板２２〜２５を押し込むと、左右の側辺側蓋板２２、２３が押し広げられ、それらに形成されている切り込み線３２と４１の間隔、および切り込み線３１と４２の間隔が開く。この結果、端辺側蓋板２４、２５の広幅の差し込み部分２４ｃ、２５ｃを、各対の切り込み線３２、４１および３１、４２に差し込むことができる。
【００２２】
端辺側蓋板２４、２５の差し込み部分２４ｃ、２５ｃを差し込んだ後は、下側の側辺側蓋板２２、２３を上方に引き上げる。この操作は、半円形の切り欠き２２Ａ、２３Ａに指を掛けることにより簡単に行うことができる。側辺側蓋板２２、２３を水平となるまで引き上げると、図５に示すように、端辺側蓋板２４の細幅の首部分２４ｂが切り込み線３２、４１を貫通し、その広幅の差し込み部分２４ｃが側辺側蓋板２２、２３の下面側に差し込まれた係合状態が形成される。同様に、他方の端辺側蓋板２５も同様な係合状態になる。この結果、底蓋部分３０が封緘状態になる。
【００２３】
一方、封緘状態の底蓋部分３０を開封するためには、上記とは逆に、図５に示す状態において、蓋板２２〜２５を押し込むだけでよい。蓋板２２〜２５を押し込むと、左右の側辺側蓋板２２、２３が左右に開き、図４に示すように、端辺側蓋板２４、２５が切り込み線３２、４１、および切り込み線３１、４２から外れる。
【００２４】
【発明の効果】
以上説明したように、本発明の梱包箱では、底蓋部分を構成している一対の側辺側蓋板に切り込み線を形成し、一対の端辺側蓋板の先端部分に形成した広幅の差し込み部分を切り込み線から側辺側蓋板の裏面側に差し込むようにしている。裏面側に差し込まれた端辺側蓋板の差し込み部分は、梱包箱の内容物によって側辺側蓋板に押し付けられるので、折れ曲がって切り込み線から外れることがない。よって、側辺側蓋板と端辺側蓋板の係合状態を確保できるので、重量のある内容物を詰めた場合でも底が抜けるおそれがない。また、底蓋部分の封緘作業および開封作業も、蓋板を押し込むだけでよいので極めて簡単である。
【図面の簡単な説明】
【図１】（ａ）は本発明を適用した梱包箱をその底側を上にして示す斜視図であり、（ｂ）はその底蓋部分の側辺側蓋板に形成した切り込み線と端辺側蓋板の形状との関係を示す説明図である。
【図２】図１の梱包箱を構成している板材を平面上に展開した状態を示す展開図である。
【図３】図１の梱包箱の底蓋部分における側辺側蓋板を閉じた状態を示す斜視図である。
【図４】図１の梱包箱の底蓋部分において、側辺側蓋板の上から端辺側蓋板を重ね合わせて押し込んだ状態を示す斜視図である。
【図５】図１の梱包箱における底蓋部分の封緘状態を示す斜視図である。
【符号の説明】
１    板材
２、３  側板部分
４、５  端板部分
６〜９  縦折り目線
１０    梱包箱
１１  筒状胴部
２０  上蓋部分
３０  底蓋部分
２２、２３  側辺側蓋板
２２ａ、２３ａ  先端縁
２２ｂ  端辺
２２Ａ、２３Ａ  切り欠き
２４、２５  端辺側蓋板
２４ａ、２５ａ  台形状部分
２４ｂ、２５ｂ  首部分
２４ｃ、２５ｃ  差し込み部分
２６〜２９  横折り目線
３１、３２、４１、４２  切り込み線
３１ａ、３２ａ、４１ａ、４２ａ  傾斜部分
３１ｂ、３２ｂ、４１ｂ、４２ｂ  直交部分
３１ｃ、３２ｃ、４１ｃ、４２ｃ  平行部分
【図１】
2005014943.tif 000003
【図２】
2005014943.tif 000004
【図３】
2005014943.tif 000005
【図４】
2005014943.tif 000006
【図５】
2005014943.tif 000007